(57)【要約】【課題】地上波デジタル放送の開始に伴い、放送される映像素材の送出時の映像アスペクト比には様々の形式のものが混在する。番組記録送出システムにおいて、将来送出予定の映像素材のアスペクト比を事前に確認可能とする。【解決手段】番組記録送出システムに組み込まれた送出監視端末は、データサーバから放送進行データを取得する。この放送進行データは、現在送出中の映像素材およびその後に送出予定でスタンバイ中の映像素材について、オリジナル映像のアスペクト比情報と送出時のアスペクト比情報を含んでいる。送出監視端末は、スタンバイ中の映像素材についてその送出時のアスペクト比情報をそのイメージ画像の形式で表示する。【選択図】図３
2004289359.tif 000002
【特許請求の範囲】
【請求項１】
現在送出中の映像素材および次に送出を行うためにスタンバイしているスタンバイ素材についてオリジナル映像のアスペクト比情報と送出時のアスペクト比情報とを取得し、前記スタンバイ素材について前記オリジナル映像のアスペクト比情報と前記送出時のアスペクト比情報に対応し送出時のアスペクト比を表すイメージ画像を取得し、前記スタンバイ素材を示す情報と対応させて前記イメージ画像を表示することを特徴とする送出アスペクト比情報の表示方法。
【請求項２】
番組送出する映像素材についての情報を監視する送出監視端末であって、外部のデータ源から現在送出中の映像素材及び次に送出を行うためにスタンバイしているスタンバイ素材についてオリジナル映像のアスペクト比情報と送出時のアスペクト比情報を取得する手段と、前記オリジナル映像のアスペクト比情報と前記送出時のアスペクト比情報に対応し送出時のアスペクト比を表すイメージ画像を示す情報を格納するテーブル手段と、前記テーブル手段を参照して前記スタンバイ素材について送出時のアスペクト比を表す前記イメージ画像を取得する手段と、取得した前記イメージ画像を前記スタンバイ素材を示す情報と対応させて表示する手段とを有することを特徴とする送出監視端末。
【発明の詳細な説明】
【０００１】
【発明の属する技術分野】
本発明は、ビデオサーバなどの映像・音声送出機器を用いる番組放送システムにおいて、送出予定素材のアスペクト比情報を表示する技術に関するものである。
【０００２】
【従来の技術】
従来のテレビジョン放送では、映像の有効アスペクト比は横：縦＝４：３のフォーマットしか存在しなかった。そのためビデオサーバなどの映像・音声送出機器を用いて番組放送を行う場合に、ＶＴＲテープに収録されている映像素材をそのままビデオサーバに記録し、番組送出時は、ビデオサーバに収録されている映像をそのままのアスペクト比で送出すればよかった。このため担当者は、送出時のアスペクト比がどのようになるかを事前に確認する必要がなかった。
【０００３】
２００３年から開始される地上波デジタル放送では、デジタルハイビジョン放送（ＨＤ放送）とデジタル標準（ＳＤ放送）が存在し、この他に従来のアナログ放送が残る。ＨＤ放送では映像の有効アスペクト比は横：縦＝１６：９、ＳＤ放送では映像の有効アスペクト比は横：縦＝１６：９又は横：縦＝４：３である。またアナログ放送では映像の有効アスペクト比は、上述のように横：縦＝４：３である。
【０００４】
なおこの種の技術に関しては、例えば特開２００２−１３５６２４号公報（特許文献１）、特開２００１−１１１５０９号公報（特許文献２）などがある。
【０００５】
【特許文献１】
特開２００２−１３５６２４号公報
【特許文献２】
特開２００１−１１１５０９号公報
【０００６】
【発明が解決しようとする課題】
図２は、映像アスペクト比のパターンを示す図である。ＨＤ放送の映像の有効アスペクト比は横：縦＝１６：９であるが、さらにＨＤフルサイズとＨＤサイドパネルが存在する。またＳＤ放送の映像の有効アスペクト比が横：縦＝１６：９の場合には、さらにＳＤスクイーズとＳＤサイドパネル付きスクイーズが存在する。ＳＤ放送の映像の有効アスペクト比が横：縦＝４：３の場合には、さらにＳＤフルサイズとＳＤレターボックスが存在する。この他にアナログ放送の有効アスペクト比である横：縦＝４：３の形式が存在する。このようにデジタル放送になると、様々な映像形式の素材が混在することになる。
【０００７】
このような状況では、例えばＨＤ放送用に映像の有効アスペクト比が横：縦＝１６：９で収録されたＶＴＲテープ素材を用いてＨＤ放送（１６：９）とアナログ放送（４：３）を行う必要が生じる。あるいはＳＤ放送用に映像の有効アスペクト比が横：縦＝１６：９で収録されたＶＴＲテープ素材を用いてＳＤ放送（１６：９）とアナログ放送（４：３）を行う必要が生じる。ビデオサーバの映像素材は、元のテープ素材のアスペクト比のままで収録される。担当者は、ビデオサーバに収録され、将来番組送出される予定の映像のモニタを見ることができるが、送出時のアスペクト比のイメージをつかめないという問題が生じる。
【０００８】
本発明の目的は、将来送出予定の素材のアスペクト比情報を事前に確認可能とすることにある。
【０００９】
【課題を解決するための手段】
番組記録送出システムは、ＶＴＲテープに収録されている映像素材を一旦ビデオサーバに記録し、１日分の放送スケジュールである放送進行データに従ってビデオサーバから映像素材の映像音声情報を送出する。放送進行データは、現在送出中の映像素材およびその後に送出予定でスタンバイ中の映像素材についてオリジナル映像のアスペクト比情報と送出時のアスペクト比情報を含んでいる。本発明は、送出監視端末によって、スタンバイ中の映像素材についてその送出時のアスペクト比情報をイメージ画像の形式で表示し、事前にアスペクト比変換の妥当性を確認可能とするものである。
【００１０】
【発明の実施の形態】
以下、本発明の一実施形態について図面を用いて説明する。
【００１１】
図１は、番組記録送出システムの構成の一例を示すブロック図である。本システムは、図示するように、データサーバ１１５、送出監視端末１１４、映像音声再生装置１０２、ビデオサーバ１０３、登録卓１１１、制御用コンピュータ１１２などから構成される。スケジュール管理システム１１６は、本システムに接続されるシステムである。図１で実線細線はＬＡＮなどのネットワーク、点線は制御信号の流れ、実線太線は映像音声信号の流れを示す。なお図１ではビデオサーバ１０３、登録卓１１１、制御用コンピュータ１１２、モニタ１１３、分配器１０５およびモニタ１０６から構成される１系統のみ図示しているが、同じ構成の他系統が同じネットワークに接続され得る。
【００１２】
制御用コンピュータ１１２は、登録卓１１１からの登録コマンドを受けると、映像音声再生装置１０２およびビデオサーバ１０３を駆動する。これによってテープ上の映像音声素材１０１は、映像音声再生装置１０２を介して再生され、再生された映像音声信号１０はビデオサーバ１０３に送られてＭＰＥＧ２により圧縮され、その記憶装置に記録される。またビデオサーバ１０３に映像音声信号を記録すると同時に、記録した映像音声信号１５をモニタ１１３へ送り、モニタ１１３によって再生される。
【００１３】
一般に放送局は、何日の何時に何を送出するかを示すスケジュールデータ（以下、放送進行データと称す）を作成する。この放送進行データは、オリジナル映像のアスペクト比情報と、送出時のアスペクト比情報を含んでいる。スケジュール管理システム１１６は、作成された放送進行データを保存する。放送前日までに放送進行データが確定し、番組記録送出システムのデータサーバ１１５に転送される。
【００１４】
制御用コンピュータ１１２は、放送当日にデータサーバ１１５から放送進行データを取り出し、ビデオサーバ１０３を駆動して番組の送出制御を行う。ビデオサーバ１０３から送出されたオリジナル映像のアスペクト比はその後必要に応じて送出時のアスペクト比に変換されて伝送される。制御用コンピュータ１１２は、次に送出する素材について事前にビデオサーバ１０３にスタンバイの指示を行う。ビデオサーバ１０３は、この指示に従い、スタンバイ中の映像音声信号１４を送出する。映像音声信号１４は、分配器１０５を通り、モニタ１０６に表示される。担当者はモニタ１０６に表示されている映像により、次に送出される映像を確認することが可能となる。ただしモニタ１０６に表示される映像は、ビデオサーバ１０３に記録されたオリジナルテープの映像であるため、送出時のアスペクト比とは異なり得る。よって担当者は、モニタ１０６の表示をみても送出アスペクト比が正しいか否かの確認ができない。
【００１５】
送出監視端末１１４は、データサーバ１１５及び制御用コンピュータ１１２と通信して送出素材についての情報を取得し、その表示装置上に現在送出中の素材についての情報および次に送出するスタンバイ中の素材についての情報を表示する。これに加えて送出監視端末１１４は、送出時の映像のアスペクト比についての情報を表示する。このアスペクト比情報は、そのアスペクト比のイメージ画像を含む。送出監視端末１１４は、オリジナル映像のアスペクト比情報とアスペクト比変換後のアスペクト比情報に対応する送出アスペクト比のイメージ画像をその表示装置上に表示する。
【００１６】
図３は、送出監視端末１１４の表示画面に表示される送出情報の例を示す図である。画面には出力チャネル３０１ごとに送出素材３０２、スタンバイ素材３０３及び送出アスペクト比３０４が表示される。送出素材３０２は現在送出中の素材、スタンバイ素材３０３は次に送出されるスタンバイ素材である。送出アスペクト比３０４は、そのチャネルについてスタンバイ素材３０３の送出アスペクト比のイメージ画像である。
【００１７】
送出監視端末１１４は、ＣＰＵ、メモリ、その他の記憶装置、入力装置、表示装置などを備える計算機であり、そのメモリ上にオリジナル映像のアスペクト比情報と変換後のアスペクト比情報に対応して送出アスペクト比を示すイメージ画像のファイル名を格納するテーブルを格納する。また各ファイル名に対応する送出アスペクト比のイメージ画像データを記憶装置に格納する。送出監視端末１１４は、データサーバ１１５から放送進行データを取得する。放送進行データは、送出中素材及びスタンバイ素材についてオリジナル映像のアスペクト比情報と送出時のアスペクト比情報を含む。次に送出監視端末１１４は、上記の対応テーブルを参照して取得したスタンバイ素材のアスペクト比情報と送出時のアスペクト比情報に対応するイメージ画像のファイル名を参照し、記憶装置に格納された該当するイメージ画像を取り出して当該スタンバイ素材についての情報と対応させて表示装置上に表示する。
【００１８】
以上の処理は、送出監視端末１１４のメモリに格納されたプログラムによって実行される。このプログラムは、データサーバ１１５から放送進行データを取得する部分、上記対応テーブルを参照してスタンバイ素材について送出時のアスペクト比を表すイメージ画像を取り出す部分、および取得したイメージ画像とこのスタンバイ素材を示す情報とを対応させて表示装置に表示する部分を含む。
【００１９】
図４にオリジナル映像のアスペクト比情報と変換後のアスペクト比情報に対応する送出アスペクト比の例を示す。
【００２０】
【発明の効果】
以上述べたように本発明によれば、番組記録送出システムの担当者はスタンバイ中の映像素材の送出時のアスペクト比を事前に容易に確認でき、その監視効率の向上に寄与できる。
【図面の簡単な説明】
【図１】実施形態の番組記録送出システムの構成図である。
【図２】映像アスペクト比パターンの形式を示す図である
【図３】送出監視端末に表示される送出情報の例を示す図である。
【図４】オリジナル映像のアスペクト比情報と変換後のアスペクト比情報に対応する送出アスペクト比の例を示す図である。
【符号の説明】
１０３：ビデオサーバ、１１２：制御用コンピュータ、１１４：送出監視端末、１１５：データサーバ、３０１：出力チャネル、３０２：送出素材、３０３：スタンバイ素材、３０４：送出アスペクト比
【図１】
2004289359.tif 000003
【図２】
2004289359.tif 000004
【図３】
2004289359.tif 000005
【図４】
2004289359.tif 000006